(57)【要約】【課題】リーチ演出に関する多くの知識を必要とすることなく、初めて遊技する場合でも簡単且つ確実に大当たり信頼度の判別を行うことが可能であり、しかも、スピーディで興趣性に優れたリーチ演出を備える遊技装置を提供する。【解決手段】本発明に係る遊技装置においては、抽選手段１５による抽選結果が大当たりである場合には、経過時間が所定の閾値を超えるまでリーチ演出が演出表示部１１に表示され、抽選手段１５による抽選結果が大当たりでない場合には、経過時間が所定の閾値を超える前にリーチ演出が終了されるようにした。従って、本発明の遊技装置で遊技する遊技者は、演出表示部１１に表示されるリーチ演出の継続時間が、閾値を超えることのみに期待していれば足り、個別のリーチ演出の信頼度といった情報を知らずとも遊技を楽しむことができる。【選択図】図１
2012213470.tif 000002
【特許請求の範囲】
【請求項１】
複数種類の図柄を備える複数列のリール（１２）で構成される変動図柄表示部（１０）と、
リーチ演出が表示される演出表示部（１１）と、
遊技媒体が投入されると大当たり確率に基づく内部抽選を行う抽選手段（１５）と、
前記抽選手段（１５）による抽選結果に対応するリーチ演出を前記演出表示部（１１）に表示する表示制御手段（１６）と、を備え、
前記表示制御手段（１６）は、前記変動図柄表示部（１０）を構成するリール（１２）の回転開始から回転停止までの所定のタイミングを起点として、該起点からの経過時間に対応するリーチ演出を前記演出表示部（１１）に表示し、
前記抽選手段（１５）による抽選結果が大当たりである場合には、前記表示制御手段（１６）は、前記経過時間が所定の閾値を超えるまで、リーチ演出を前記演出表示部（１１）に表示し、
前記抽選手段（１５）による抽選結果が大当たりでない場合には、前記表示制御手段（１６）は、前記経過時間が所定の閾値を超える前に、前記演出表示部（１１）に表示されるリーチ演出を終了するようになっていることを特徴とする遊技装置。
【請求項２】
前記変動図柄表示部（１０）は、前記演出表示部（１１）を兼ねており、
前記所定のタイミングは、前記リール（１２）の回転開始のタイミング、或いはリーチ状態が確定したときのタイミングであり、
前記抽選手段（１５）による抽選結果が大当たりである場合には、前記表示制御手段（１６）は、前記経過時間が所定の閾値を超えるまで、前記複数列のリール（１２）のうちの少なくともいずれか一つのリール（１２）の回転動作を継続し、
前記抽選手段（１５）による抽選結果が大当たりでない場合には、前記表示制御手段（１６）は、前記経過時間が所定の閾値を超える前に、全てのリール（１２）の回転動作を終了するようになっている、請求項１記載の遊技装置。
【請求項３】
前記表示制御手段（１６）により前記演出表示部（１１）に表示されるリーチ演出が、計時的な表現により経過時間を表示するものである、請求項１記載の遊技装置。
【発明の詳細な説明】
【技術分野】
【０００１】
本発明は、パチンコ遊技機、或いはパチスロ遊技機といった遊技装置に関する。
【背景技術】
【０００２】
パチンコ機においては、盤面上に配された始動チャッカーに遊技玉が入賞されるたびに、複数個（多くは３個）のリール図柄を変動させて表示する図柄組み合わせゲームが行われる。また、この図柄組み合わせゲームに対する遊技者の興趣の向上を図るために、パチンコ機には演出態様として多種多様なリーチ演出が用意されており、表示画面には種々のリーチ演出が表示されるようになっている。パチスロ機においても同様であり、リール図柄の図柄組合せゲームに対する遊技者の興趣を向上させるために、表示画面には種々のリール演出が表示されるようになっている。
【０００３】
かかるリーチ演出は、遊技者にとって大当たりの信頼度を察する重要な要素であり、また、遊技装置の興趣性を決定する重要な要素でもある。このため、遊技装置のリーチ演出は年々派手になっており、表示画面に表示される映像等といったソフトによる演出のみならず、可動体による演出も広く行われている。具体的には、例えば、表示画面の近傍に配されたキャラクター等をモチーフにした可動体、或いは表示画面を覆うように動く障子をモチーフにした可動体といったような各種仕掛け（ギミック）を遊技装置に組み込み、これら可動体を表示画面上の演出とリンクして動かすことで、遊技者の興趣性の向上を図る努力も広くなされている（例えば特許文献１参照）。また、表示画面上の演出とリンクした音や光によるリーチ演出も広く行われている。
【先行技術文献】
【特許文献】
【０００４】
【特許文献１】特開２０１０−０６３７８４号公報
【発明の概要】
【発明が解決しようとする課題】
【０００５】
以上のように、昨今の遊技装置では、音、光や表示画面上の演出のみならず、可動体を使った様々なリーチ演出が行われているが、かかるリーチ演出には、遊技機種とは無関係に一見して大当たりの信頼度の高いとわかるものもあれば、その遊技機種に特有のリーチ演出であって信頼度の高低が判別し難いものもある。前者の代表例としては、光や大きな音を伴って可動体が動く演出、多数のキャラクターが表示画面上を横切る所謂「群予告」、或いは所謂「擬似連」が複数回連続した後に発生するリーチ演出などを挙げることができる。
【０００６】
しかし、このように、リーチ演出が派手で複雑となればなるほど、遊技者にとって、リーチ演出の大当たりの信頼度の高低を判別することは困難となる。すなわち、先に述べたような、遊技機種とは無関係に一見して大当たり信頼度が高いことが理解できるリーチ演出であれば、多くの遊技者は、リーチ演出の大当たり信頼度を容易に察することができるが、それ以外のリーチ演出の場合に、大当たり信頼度を察することは非常に困難である。かかる不都合は、特に新台機種の場合に顕著であり、始めて遊技する遊技装置のリーチ演出の大当たり信頼度を把握しておくためには、事前にパチンコ雑誌等を熟読しておくなどの対応が必要であり煩わしい。元より、昨今の遊技装置におけるリーチ演出は多種多様となっており、具体的には、音、光、表示画面上の画像演出や可動体による演出の組合せでリーチ演出は成り立っているため、その組合せが数百種類以上存在する場合もあり、全ての組合せに係るリーチ演出を遊技者が把握して、大当たり信頼度を正確に判断することは実際には不可能であると言わざるを得ない。
【０００７】
以上のようなリーチ演出の複雑化は、却って興趣性の低下を招く。すなわち、大当たり信頼度の高いリーチ演出が派手になることは、逆に派手な演出が起きなければ大当たりに至る確率が極めて低いことを意味しているため、現況の遊技装置による遊技は、結局、派手なリーチ演出を待っているだけのゲームであり、遊技全体としての興趣性が却って低下していると感じる遊技者もいる。
【０００８】
また、大当たり信頼性の低いリーチ演出であっても、大当たり信頼性の高いリーチ演出と同等の時間を掛けて行われる演出もあり、遊技者からすると、冗長な演出に時間が費やされることに不満を感じ、しいては遊技装置の興趣性が乏しいと感じる場合もある。すなわち、長時間を掛けて実行される所謂スーパーリーチの演出が行われる場合において、当該スーパーリーチに至る前段の演出で信頼度を増すような演出が全く無く、実際に大当たりに至る信頼度は皆無であるにも拘らず、長時間に亘って行われるスーパーリーチ演出を延々と見なければならない状況に陥ることは多々有る。このような無駄なリーチ演出を冗長に感じる遊技者にとっては、結局、興趣性の低下を感じることとなる。
【０００９】
本発明は、以上のような問題点を解決するためになされたものであり、リーチ演出に関する多くの知識を必要とすることなく、初めて遊技する場合でも簡単且つ確実に大当たり信頼度の判別を行うことが可能であり、しかも、スピーディで興趣性に優れたリーチ演出を備える遊技装置を提供することにある。
【課題を解決するための手段】
【００１０】
本発明は、複数種類の図柄を備える複数列のリール１２で構成される変動図柄表示部１０と、リーチ演出が表示される演出表示部１１と、遊技媒体が投入されると大当たり確率に基づく内部抽選を行う抽選手段１５と、抽選手段１５による抽選結果に対応するリーチ演出を演出表示部１１に表示する表示制御手段１６とを備える遊技装置を対象とする。表示制御手段１６は、変動図柄表示部１０を構成するリール１２の回転開始から回転停止までの所定のタイミングを起点として、該起点からの経過時間に対応するリーチ演出を演出表示部１１に表示する。そして、抽選手段１５による抽選結果が大当たりである場合には、表示制御手段１６は、経過時間が所定の閾値を超えるまで、リーチ演出を演出表示部１１に表示し、抽選手段１５による抽選結果が大当たりでない場合には、表示制御手段１６は、経過時間が所定の閾値を超える前に、演出表示部１１に表示されるリーチ演出を終了する。
【００１１】
変動図柄表示部１０は、演出表示部１１を兼ねるものとすることができる。前記所定のタイミングは、リール１２の回転開始のタイミング、或いはリーチ状態が確定したときのタイミングとする。そして、抽選手段１５による抽選結果が大当たりである場合には、表示制御手段１６は、経過時間が所定の閾値を超えるまで、複数列のリール１２のうちの少なくともいずれか一つのリール１２の回転動作を継続し、抽選手段１５による抽選結果が大当たりでない場合には、表示制御手段１６は、前記経過時間が所定の閾値を超える前に、全てのリール１２の回転動作を終了するものとできる。
【００１２】
表示制御手段１６により演出表示部１１に表示されるリーチ演出が、計時的な表現により経過時間を表示するものとできる。
【発明の効果】
【００１３】
本発明に係る遊技装置では、リーチ演出の継続時間でもって、大当たり信頼度や大当たりに至ったか否かを遊技者が判別できるようにした。すなわち、抽選手段１５による抽選結果が大当たりである場合には、経過時間が所定の閾値を超えるまでリーチ演出を演出表示部１１に表示し、一方、抽選手段１５による抽選結果が大当たりでない場合には、経過時間が所定の閾値を超える前にリーチ演出を終了するようにした。
この遊技装置によれば、遊技者は、変動図柄表示部１０に表示されている図柄がリーチ状態に至ると、演出表示部１１に表示されるリーチ演出の継続時間をチェックするだけで、当該リーチの大当たり信頼度を判別することができる。すなわち、リーチ演出の継続時間が所定の閾値に近付けば近付くほど、大当たりに近付いていると判別することができる（なお、本発明では、リーチ演出の継続時間が閾値を超えなければ、大当たりとなる可能性は皆無であることを補足する）。
【００１４】
以上より、本発明の遊技装置で遊技する遊技者は、演出表示部１１に表示されるリーチ演出の継続時間が、閾値を超えることのみに期待していれば足り、個別のリーチ演出の信頼度といった情報を知らずとも遊技を楽しむことができる。従って、従来の遊技装置のように、多種多様なリーチ演出の信頼度といった細かなゲーム内容を知らずとも遊技を楽しむことが可能であり、本発明によれば、よりシンプル且つ汎用性に富んだ遊技装置を提供することができる。また、多種多様なリーチ演出の信頼度といったゲーム内容を知らずとも遊技を楽しむことができるので、本発明の遊技装置を初めて遊技する場合でも、簡単且つ確実に大当たり信頼度の判別を行いながら遊技を進めることができる点でも優れている。
また、閾値を例えば１分としておけば、遊技者は、多くともリール１２の回転開始から１分間で、大当たりか否かを判別することができる。従って、本発明によれば、従来の遊技装置に比べて、比較的短時間に大当たり判別を行うことが可能であり、スピーディで興趣性に優れた遊技装置を実現することができる。
【００１５】
図７に示すように、変動図柄表示部１０が演出表示部１１を兼ねる遊技装置の場合には、変動図柄表示部１０のリールの回転動作の経過時間により、大当たりか否かを表示する形態を採ることができる。具体的には、抽選結果が大当たりである場合には、上記経過時間が所定の閾値を超えるまで、複数列のリール１２のうちの少なくともいずれか一つのリール１２の回転動作を継続し、抽選結果が大当たりでない場合には、経過時間が所定の閾値を超える前に、全てのリール１２の回転動作を終了するものとする。このように、変動図柄表示部１０を構成するリール１２の回転動作の経過時間のみにより、大当たりか否かを表示する形態を採ると、よりシンプルなゲーム性を備えた遊技装置を提供することができる。
【００１６】
表示制御手段１６により演出表示部１１に表示されるリーチ演出が、計時的な表現により経過時間を表示する形態を採ることができる。これによれば、遊技者は、演出表示部１１に表示される経過時間に関する情報に基づいて、経過時間が閾値に近付いていくことを視覚的に把握することができるので、より的確な経過時間の把握が可能となる。これにて、遊技者に経過時間が閾値に近付いていく臨場感を与えて、より興趣性に富んだ遊技装置を提供することができる。
【図面の簡単な説明】
【００１７】
【図１】本発明が適用される第１実施例に係る遊技装置（パチンコ機）の概略正面図である。
【図２】遊技装置のブロック回路図である。
【図３】遊技装置の動作を説明するためのフローチャート図である。
【図４】第２実施例に係る遊技装置（パチンコ機）の概略正面図である。
【図５】第２実施例に係る遊技装置の概略正面図であり、リーチ状態を示している。
【図６】第３実施例に係る遊技装置のリーチ状態における表示形態を示す図である。
【図７】第４実施例に係る遊技装置のリーチ状態における表示形態を示す図である。
【図８】第５実施例に係る遊技装置のリーチ状態における表示形態を示す図である。
【図９】第６実施例に係る遊技装置の概略正面図である。
【発明を実施するための形態】
【００１８】
（第１実施例）  以下、本発明について、図面を参照して詳細に説明する。図１乃至図３は、本発明をパチンコ機に適用した第１実施例を示す。本実施例に係るパチンコ遊技機は、一定条件化で「大当たり」状態となる所謂フィーバー機と称されるものである。
【００１９】
図１に示すように、このパチンコ機は、遊技場の固定枠１に固定されるハウジング２を基体とするものであり、このハウジング２に、遊技盤３、遊技球の発射機構、基板回路などが組み付けられている。遊技盤の前面は、透明なガラス板４を有する前面扉５により閉じられており、この前面扉５により、遊技盤３は外部から盤面が視認可能に密閉される。また、これら前面扉５と遊技盤３との間に発射機構から発射された遊技球が遊動する空間が形成されている。前面扉５には遊技球の発射操作を行うために発射ハンドル６が取り付けられており、遊技者が発射ハンドル６を回転操作したときに、遊技球が遊技盤３上へ発射されるようになっている。遊技盤３の表面には、始動口であるスタートチャッカー３ａ、大入賞口である大当たりチャッカー３ｂ、アウト口（排出口）３ｃ、多数本の釘３ｅなどが設置されており、その中央部に二つの表示画面（変動図柄表示部）１０と表示画面（演出表示部）１１が設けられている
【００２０】
符号１０で示す表示画面は、本発明における変動図柄表示部となる液晶画面であり、複数種類の図柄を備えるリール１２が、複数列（図示例では３列）画像表示される。図示例は、左右両側のリールに「６」、「７」、「８」の図柄が揃ったリーチ状態を示しており、中央のリールが、「６」、「７」、「８」のいずれかの図柄で停止すると大当たりとなる。
【００２１】
符号１１で示す表示画面は、本発明における演出表示部となる液晶画面であり、縦方向に長いメータ状に形成されている。表示画面１１には、表示画面１０のリール１２がリーチ状態となると、リーチ確定後の経過時間が表示されるようになっている。詳しくは、表示画面１１には複数個のバー１１ａが設けられており、リーチ状態となると、下方より順にバー１１ａが積層状に点灯表示されるようになっている。
【００２２】
図２に示すごとく、パチンコ機の基板回路は、該パチンコ機の全体を制御するメイン基板（抽選手段）１５と、メイン基板１５からの制御信号を受けて、パチンコ機の前面に設けられた表示画面１０・１１を制御するビデオカード（表示制御手段）１６と、スピーカ１７から出音される音声を制御するサウンドカード１８と、賞球を払い出すための賞球装置１９を制御する賞球制御回路２０と、パチンコ機の前面に配設された各種のランプ２１を制御するランプ制御装置２２などで構成される。メイン基板１５は、ゲームプログラム、遊技音データ、画像データなどを格納するＲОＭ２３と、該ＲОＭ２３に格納のゲームプログラムに基づいてパチンコ機を制御し、所定の条件下で当たり信号を発生する中央制御装置２４と、プログラムの実行領域となるＲＡＭ２５などを備える。
【００２３】
メイン基板１５の中央制御装置２４は、スタートチャッカー３ａに遊技球が入ると、大当たり確率に基づく内部抽選を行い、大当たりか否かの判定を行う。大当たりの場合には、所定のリーチ演出を行ったのちに、大当たりチャッカー３ｂを開放して、賞球制御回路２０を介して賞球装置１９を制御して遊技球を払い出す。大当たりでない場合には、所定のリーチ演出のみを行う。
【００２４】
次に、図３を使って、本実施例に係るパチンコ機の遊技動作について説明する。待機状態から、遊技者により発射ハンドル６が回転操作されて遊技球が遊技盤３上に発射され、遊技球がスタートチャッカー３ａに入ると（Ｓ１）、メイン基板１５の中央制御装置２４は、大当たり確率に基づく内部抽選を行い、大当たりか否かの判定を行う（Ｓ２）。大当たりの場合には（Ｓ３でＹＥＳ）、リーチ演出を行ったのちに（Ｓ４）、所定時間だけリーチ状態を継続したのちに（Ｓ５）、大当たりチャッカー３ｂを開放する（Ｓ６）。
【００２５】
本実施例に係るパチンコ機では、リーチ状態の演出が１分間続くと、大当たりとなるように設定されている。換言すれば、本実施例においては、本発明における「所定の閾値」は１分に設定されている。また、本実施例では、表示画面１１には、１２個のバー１１ａが設けられており、下方から順に、５秒ごとに一つずつバー１１ａが積層上に点灯されていくようになっている。そして、全てのバー１１ａが点灯されると、大当たりであることが表示されるようになっている。
【００２６】
内部抽選の結果、大当たりであると判定された場合には、中央制御装置２４は、リーチ状態となったタイミングを起点として、該起点からの経過時間が１分を超えるまで、リーチ状態を継続させる。具体的には、図１に示すように、中央制御装置２４は、左右のリール１２・１２をリーチとなるように停止させるとともに、リーチ状態となったタイミングを起点として、該リーチ状態の経過時間を計測し、リーチ状態の経過時間に応じて、表示画面１１のバー１１ａを下方より順に積層状に点灯させる。遊技者は、点灯するバー１１ａが表示画面１１の上端に近付けば近付くほど、大当たりの確率が高まっていることを知ることができる。大当たりの場合には、中央制御装置２４は、全てのバー１１ａを点灯させる。つまり、表示画面１１の全てのバー１１ａを点灯させ、これと同時に、３つのリール１２の図柄が揃うように、表示画面１０の中央のリール１２を停止させ、次いで、大当たりチャッカー３ｂを開放する（Ｓ６）。
【００２７】
大当たりチャッカー３ｂに所定数の遊技球が入賞し、あるいは大当たりチャッカー３ｂが所定時間開放されると、中央制御装置２４は、大当たり動作を終了する（Ｓ７）。次に、保留玉がある場合には（Ｓ８でＹＥＳ）、Ｓ２に戻って内部抽選を行う。一方、保留玉が無い場合には（Ｓ８でＮＯ）、スタートチャッカー３ａに入賞があるまで、抽選動作を停止し、スタートチャッカー３ａに遊技球が入ると、内部抽選を行う（Ｓ２）。
【００２８】
一方、内部抽選の結果、大当たりでない場合には（Ｓ３でＮＯ）、リーチとするか否かの判定を行う（Ｓ９）。判定の結果、リーチである場合には（Ｓ９でＹＥＳ）、上記と同様に、表示画面１１のバー１１ａを下方より順に点灯させていく演出を行い（Ｓ１０）、１分以内にリーチ状態を終了させる（Ｓ１１）。これにて、遊技者は、当該リーチが大当たりに至らなかったことを知ることができる。また、リーチが終了すると（Ｓ１１）、保留玉の有無を判別し（Ｓ８）、保留玉がある場合にはＳ２に戻って、内部抽選を行う。抽選の結果、大当たりでは無く（Ｓ３でＮＯ）、しかもリーチでない場合には（Ｓ９でＮＯ）、Ｓ８に移行し、保留玉の有無に応じた処理を行う。
【００２９】
（第２実施例）  図４および図５に本発明の第２実施例を示す。そこでは、専用の演出表示部を廃して、変動図柄表示部を兼ねる一つの表示画面１０に演出表示部１１を表示させて、当該演出表示部１１にリーチ演出画像を表示させるようにした点、およびリーチとなると、表示画面１０にカウント値を示すリーチ演出画像３０が表示されるようにした点が、先の第１実施形態と相違する。それ以外の点は、先の第１実施形態と同様である。本第２実施例に係るパチンコ機では、図４に示すように、通常の状態では、表示画面１０に変動図柄が表示されており、リーチ状態となると、図５に示すように、変動図柄とリーチ演出画像３０が表示されるようになっている。また、本第２実施例に係るパチンコ機では、リーチ演出画像３０のカウント値が「０」となると「大当たり」であり、カウント値が「０」以上で停まると「はずれ」である。
【００３０】
（第３実施例）  図６に本発明の第３実施例を示す。そこでは、リーチ状態において表示画面１０に表示されるリーチ演出画像３０が、時計の秒針をモチーフにした画像である点が、先の第２実施例と相違する。本第３実施例に係るパチンコ機では、リーチ演出画像３０の秒針が一周すると「大当たり」であり、秒針の回転が途中で止まると「はずれ」である。
【００３１】
（第４実施例）  図７に本発明の第４実施例を示す。そこでは、リーチ状態において表示画面１０に表示されるリーチ演出画像３０が、ブロックが積み上がっていく演出画像とした点が、先の第２実施例と相違する。本第４実施例に係るパチンコ機では、ブロックが表示画面１０を全て埋めるように積み上がると「大当たり」であり、ブロックの積み上がりが途中で止まると「はずれ」である。
【００３２】
（第５実施例）  図８に本発明の第５実施例を示す。そこでは、リーチ状態となると、二人のキャラクターが戦闘する所謂バトルリーチと称されるリーチ演出画像３０が、表示画面１０に表示されるようにした点が、先の第２実施例と相違する。本第５実施例に係るパチンコ機では、バトルが所定時間継続すると、換言すれば、リーチ後の経過時間が閾値を超えるまでバトルリーチが継続されると「大当たり」となり、バトルリーチが閾値に至るまでに終了すると、「はずれ」となる。
【００３３】
（第６実施例）  図９に本発明の第６実施例を示す。そこでは、液晶画面である表示部を廃して、実在のリール１２を組み込み、これらリール１２の回転状態のみでリーチ演出を行うようにした点が先の第１実施例と相違する。すなわち、本第６実施例に係るパチンコ機では、大当たりの場合には、所定の閾値を超えるまで中央のリール１２を回転させ（リーチ状態を継続させ）、大当たりでない場合には、所定の閾値を超える前に、中央のリール１２の回転を停止させるようにしている。
【００３４】
上記実施例においては、パチンコ機を例にして説明したが、本発明はパチスロ機に適用することもできる。上記実施例においては、リーチ状態が確定したときのタイミングを起点として経過時間を計測したが、本発明はこれに限られず、リールの回転開始のタイミングを起点として経過時間を計測するものであってもよい。表示画面に表示されるリーチ演出は、実施例に挙げたものに限られず、要は計時的な表現で計時時間を表示するものであればよい。
【符号の説明】
【００３５】
１０  変動図柄表示部
１１  演出表示部
１２  リール
１５  抽選手段
１６  表示制御手段
【図１】
2012213470.tif 000003
【図２】
2012213470.tif 000004
【図３】
2012213470.tif 000005
【図４】
2012213470.tif 000006
【図５】
2012213470.tif 000007
【図６】
2012213470.tif 000008
【図７】
2012213470.tif 000009
【図８】
2012213470.tif 000010
【図９】
2012213470.tif 000011